(57)【要約】      （修正有）【課題】自動閉止駆動機構を削減することができるとともに、いわゆるドアキャッチを削減することができながら、迅速な閉扉動作を行うことができる中折れ式自動開閉扉を提供する。【解決手段】フレーム４に回動可能な基部側扉（第１扉）５と、第１扉５にヒンジ６を介して連結された開閉端側扉（第２扉）７とからなり、フレーム４内に格納状態にロックされている。第２扉７を閉扉方向に付勢する付勢手段２０を備えており、付勢手段２０は、第２扉７内に固定された固定フレーム２１と、一回転方向に向けて付勢される巻込みロール２２と、巻き込みロール２２に一端が固定されて巻込み側に付勢されつつ引出し可能なワイヤＷと、ワイヤＷの中間部の脱落を防止しつつその水平方向への繰出方向を変換するガイドローラー部２３と、ガイドレール２４の適宜位置に設けられワイヤの他端を固定する固定手段２５とを備えてなることを特徴とする。【選択図】図１ｂ
2005171598.tif 000002
【特許請求の範囲】
【請求項１】
構造物に回動可能にヒンジされる基部側扉と、該基部側扉にヒンジを介して連結された開閉端側扉と、該開閉端側扉の開閉端に設けられ固定側のガイドレールに沿って移動可能なガイドローラとを備え、格納時において、前記基部側扉が奥側に配置され、前記開閉端側扉が表側に配置されてなり、前記ガイドローラが前記ガイドレールに沿って移動することにより前記開閉端側扉および基部側扉が開閉する中折れ式開閉扉であって、
前記開閉端側扉または前記基部側扉を閉扉方向に付勢する付勢手段と、前記開閉端側扉および基部側扉の閉扉状態をロックし火災発生時にロックが解除されるロック手段とを備えたことを特徴とする中折れ式自動開閉扉。
【請求項２】
前記付勢手段が、前記開閉端側扉内に固定された固定フレームと、該固定フレームに軸支されて一回転方向に向けて付勢される巻込みロールと、該巻き込みロールに一端が固定されて巻込み側に付勢されつつ引出し可能なワイヤと、前記開閉端側扉の上部に設けられ前記ワイヤの中間部の繰出方向を変換すべくガイドするガイド部材と、前記ガイドレールの適宜位置に設けられ前記ワイヤの他端を固定する固定手段とを備えてなることを特徴とする請求項１に記載の中折れ式自動開閉扉。
【請求項３】
請求項１に記載の中折れ式自動開閉扉において、前記基部側扉および開閉端側扉からなる一対の中折れ式扉が前記ガイドレールを共通にしてその両側に設けられ、両中折式扉の閉扉時には前記開閉端側扉の端部同士が凹凸による召し合わせ構造により連結状態に閉じ合わされることを特徴とする中折れ式自動開閉扉。
【発明の詳細な説明】
【技術分野】
【０００１】
本発明は、中折れ式開閉扉に関し、特に防火扉に用いて好適な自動閉扉機能を備えた扉の改良技術に関する。
【背景技術】
【０００２】
防火扉の形式としては、シャッタ式、引き戸式、開閉式などの各種の形式があり、それぞれに特徴がある。
【０００３】
まず、シャッタ式防火扉の場合には、上部に巻き取り機構を内蔵したシャッタケースを設け、内部に巻き取られた防火シャッタを昇降させる形式である。この構造の欠点は、通路の閉扉時に片側に出入り用の開閉式子扉が必要であり、また巻き取り式であるため、構造的に複雑化し、さらに自動または自動閉扉のための機構や手順も複雑となる。
【０００４】
また、引き戸式防火扉では、通路解放状態でその片側または両側に引き込んでおく必要がある。それ故、通路がＴ字形に交差するなど、通路の片側または両側に防火扉を格納するスペースがない場合には据え付けができない。
【０００５】
これに対し、開閉式防火扉では通路壁面に沿って扉格納用の凹所を設けておけばよいため、通路内に配置する場合にはその壁面に対し９０°の開閉角度とし、通路がＴ字形に交差する部分においては、交差位置の壁面に対し１８０°の開閉角度とすることでいずれの通路形状にも対応できる。
【０００６】
ところが、その反面、回動半径内に障害物があった場合には、閉扉できなくなったり、扉そのものが通行障害となる。この点については両側扉として観音開き構造とすることで対処できるが、それでも通路幅の半分の回動半径となり、自動あるいは自動式とした場合には動力負荷も大きい。
【０００７】
このような欠点を補うものとして、中折れ戸形式がある。中折れ戸形式のものは、扉を、構造物に回動可能にヒンジされる基部側扉と、基部側扉にヒンジ結合した開閉端側扉とに２分割したもので、開放（格納）状態では、基部側扉が通路側に面し、開閉端側扉が基部側扉の奥に位置するように折り畳まれた状態で側壁に格納されていた。
【０００８】
この構造形式で、９０°開閉方式の場合の閉止時には、基部側扉が開閉端側扉を伴った状態で９０°回動した後、開閉端側扉が基部側扉に対して１８０°回動することにより、展開されて構造物の開口を閉止するものとなっている。
【０００９】
それ故、片側扉方式の場合には、通路幅の１／２の回動半径、両側扉方式の場合には１／４の回動半径となり、開閉させるためのスペースの小さな場所に据え付ける扉として好適である。
【００１０】
ところで、前記中折れ戸形式で自動式に閉止駆動する場合の構造としては、構造物と基部側扉との間のヒンジ部、および、基部側扉と開閉端側扉との間のヒンジ部に回転付勢手段（いわゆるオートヒンジ機構）をそれぞれ介在させ、基部側扉および開閉端側扉を常時閉止側（展開方向）に付勢するとともに、基部側扉の格納状態をロックする手段が設けられている。さらに、閉止時において、上述したように、基部側扉が９０°回動したときにこの展開状態をロックする手段（いわゆるドアキャッチ）を設ける必要がある。
【００１１】
この構造では、火災報知信号を受けて基部側扉のロックが掛けはずされると、基部側扉が９０゜回動して当該位置でロックされ、ついで開閉端側扉が１８０°回動することにより、基部側扉と開閉端側扉とが一直線となる。
【発明の開示】
【発明が解決しようとする課題】
【００１２】
しかしながら、このような従来の中折戸形式における自動閉止駆動構造にあっては、閉扉する際に、基部側扉の回動・ロックと、その後の開閉端側扉の回動という２段階の動作が必要となるため、より迅速な閉扉をおこなうことができる構造が望まれていた。また、基部側扉と開閉端側扉のそれぞれを別個に回動駆動する機構が必要であり、コストアップの原因となっていた。さらに、基部側扉が９０°回動したときにこの展開状態をロックする手段（いわゆるドアキャッチ）を設ける必要があり、この点においても、コストアップの原因となっていた。
【００１３】
本発明は、以上の課題を解決するもので、その目的は、自動閉止駆動機構を削減することができるとともに、いわゆるドアキャッチを削減することができながら、迅速な閉扉動作を行うことができる中折れ式自動開閉扉を提供するものである。
【課題を解決するための手段】
【００１４】
前記目的を達成するため、本発明は、構造物に回動可能にヒンジされる基部側扉と、該基部側扉にヒンジを介して連結された開閉端側扉と、該開閉端側扉の開閉端に設けられ固定側のガイドレールに沿って移動可能なガイドローラとを備え、格納時において、前記基部側扉が奥側に配置され、前記開閉端側扉が表側に配置されてなり、前記ガイドローラが前記ガイドレールに沿って移動することにより前記開閉端側扉および基部側扉が開閉する中折れ式開閉扉であって、前記開閉端側扉または前記基部側扉を閉扉方向に付勢する付勢手段と、前記開閉端側扉および基部側扉の閉扉状態をロックし火災発生時にロックが解除されるロック手段とを備えたことを特徴とする。
【００１５】
本発明においては、前記付勢手段が、前記開閉端側扉内に固定された固定フレームと、該固定フレームに軸支されて一回転方向に向けて付勢される巻込みロールと、該巻き込みロールに一端が固定されて巻込み側に付勢されつつ引出し可能なワイヤと、前記開閉端側扉の上部に設けられ前記ワイヤの中間部の繰出方向を変換すべくガイドするガイド部材と、前記ガイドレールの適宜位置に設けられ前記ワイヤの他端を固定する固定手段とを備えてなることが好ましい。
【００１６】
また、本発明においては、前記基部側扉および開閉端側扉からなる一対の中折れ式扉が前記ガイドレールを共通にしてその両側に設けられ、両中折式扉の閉扉時には前記開閉端側扉の端部同士が凹凸による召し合わせ構造により連結状態に閉じ合わされることとすることができる。
【発明の効果】
【００１７】
火災発生時にロックが解除されると、開閉端側扉または基部側扉が閉扉側への回動動作を生ずると、開閉端側扉はその回動動作に追随して折り畳み状態から角度を広げつつガイドレールに沿って移動するため、閉扉動作に段階を生ずることがなく、確実かつスムーズな閉扉動作を迅速におこなうことができる。
【発明を実施するための最良の形態】
【００１８】
図１ａから図１ｄは本発明の第一実施例に係る中折れ式防火扉の開放（格納）状態を示し、図１ａは平断面図、図１ｂは立断面図、図１ｃは付勢手段の一部の拡大図、図１ｄは他の回動動作方式図である。
【００１９】
図１ａに示すとおり、防火扉１は９０°開閉式の片側扉であって、防火扉１は、通常状態では通路２の片側壁面３に形成された凹所に据え付けられた扉枠フレーム４内に折り畳み格納され、通路２を常開としている。
【００２０】
防火扉１は、フレーム４に回動可能にヒンジ軸受けされた基部側扉（以下、第１扉と称する）５と、第１扉５の回動端にヒンジ６を介して連結された開閉端側扉（以下、第２扉と称する）７とからなっており、耐火性の鋼板を組み合わせた中空構造体である。
【００２１】
第２扉７の上端にはロック孔が開口され、折り畳み状態ではこれに火災報知システムに連繋する電子ロックとして設けられたロックピン８が突設されることにより、前記第１扉５とともに折り畳み状態で、かつ、第１扉５が奥側に配置され、第２扉７が表側に配置された状態で、フレーム４内に格納状態にロックされている。
【００２２】
さらに、前記ヒンジ６は、図１ａの一部に拡大して示すように、第１、第２扉の接合端面にビスＢを介して固定され、かつ互いにギア状に噛合する一対の関節部６ａと、関節部６ａの外周を包囲するとともに関節部６ａ同士を常時かみ合い状態に保持するカバー兼用の連結部６ｂとからなっている。また、第２扉７のヒンジ端には、前記ヒンジ６の接合位置を覆うカバー部７ｃが延設されている。したがって、火災時の煙の通過をほぼ完全に防ぐことが可能である。なお、本実施例ではヒンジ６を用いたが、市販されている蝶番を用いても同等の防煙性を保つことが可能である。
【００２３】
そして、本発明においては、図１ｂおよび図１ｃに示すように、第２扉７の開閉端側上部に第２扉７を閉扉方向に付勢する付勢手段２０を備えている。付勢手段２０は、第２扉７内に固定された固定フレーム２１と、固定フレーム２１に軸支されて一回転方向（図１ｂ中で矢印方向）に向けて付勢される巻き込みロール２２と、巻き込みロール２２に一端が固定されて巻込み側に付勢されつつ引出し可能なワイヤＷと、第２側扉７の上部に設けられ固定フレーム２１から上方に向けて引き出されるワイヤＷの中間部の脱落を防止しつつその水平方向への繰出方向を変換可能にするスイベル機能を有し、かつ、第２側扉７本体を釣支しながら転支させる機能を有するガイドローラ部２３と、フレーム４内から通路天井部に至るまで固定配置され、ガイドローラ部２３を閉扉方向に滑動させるガイドレール２４と、ガイドレール２４の適宜位置に設けられワイヤの他端を固定する固定手段２５とを備える。
【００２４】
また、ガイドローラー部２３は、ガイドローラ部２３を移動させる一対の円盤形ローラー２６と、円筒形状を有し両面をそれぞれの円盤形ローラーに接続され、円周面の一部に開口部を有するスイベル軸継手２７と、長手方向に中空貫通孔を有し、一端をスイベル軸継手の円周面の一部に螺合して接続され、他端が固定ブラケット２８を貫通して、一対のナット２９により貫通孔の開口部上下で挟みつけるように固定されている中空ボルト３０とを備える。
【００２５】
ワイヤーＷの一端は中空ボルト３０の貫通孔を挿通して巻き込みロール２２に接続されている。
【００２６】
また、ガイドローラー部２３は、一対の円盤形ローラー２６の代わりに、図１ｄに示すように第２扉７の開閉端側上部に吊り下げローラ３１を突設させ、吊り下げローラー３１とスイベル軸継手２７を接続する方法もある。この場合においては、吊り下げローラー３１は、フレーム４間にまたがって通路天井部に固定配置されたガイドレール３２に沿って転支しつつ閉扉方向に滑動されるようになっている。
【００２７】
図２は本発明の第一実施例に係る中折れ式防火扉における基部側扉及び開閉端側扉の端部形状を示し、回転駆動機構を備えた場合の縦断面図である。
【００２８】
第１扉５におけるヒンジ軸受け部の上部側には、何らの駆動機構を設ける必要はないが、図２に示すように、閉扉方向に付勢するための回転駆動機構４０を内蔵することもできる。回転駆動機構４０は、例えばオートヒンジとしてよく知られた構造であり、その内部構造の詳細は省略するが、ケーシング内にバネまたはゼンマイを内蔵し、この端部をヒンジ軸に連結することで、図に示す開扉状態ではバネまたはゼンマイを巻き取り、これに蓄えられたエネルギーによってヒンジ軸に対し第１扉５を閉扉方向に回動付勢する構造となっている。なお、回転駆動機構４０は、本発明において必須ではなく補助的に設けられるものである。
【００２９】
以下に回転駆動機構を有さない構成における閉扉動作について説明する。
【００３０】
図３は本発明の第一実施例に係る中折れ式防火扉の閉扉動作を示す平断面図である。火災報知システムが作動すると電子ロックが作動してロックピン８が引き抜かれ、これによって第２扉７は、ワイヤＷが巻込みロール２２に巻込み側に付勢されるので、ガイドローラー部２３を介して、この反力によりガイドレール２４に沿って水平方向に移動しつつ第１扉５に対する角度を漸次開き、最終的には第１，第２扉５，７が一直線になって通路２を急速に閉止する。
【００３１】
防火扉１が閉止する際、第２扉７が回動すると、付勢手段２０の固定フレーム２１は第２扉７内に固定されているため、ワイヤＷの繰出方向が水平面内において９０゜変更することになる。ところが、ワイヤＷは、ガイドローラー部２３内をすべりつつ、その水平方向への繰出方向をスイベル機能を備えたスイベル軸継手２７により変換することができるので、スムーズな回動が可能である。また、ガイド２４がガイドローラ部２３を抱持した状態となるために、第２扉７は床面より若干浮遊した状態となり、スムーズな回動が可能である。
【００３２】
また、第２扉７の開閉端は平面視で凸部７ａが形成され、閉扉時に第２扉７の開閉端と当接する壁面部分は平面視で凹部７ｂが形成され、両者の閉扉状態ではその凸部７ａ、凹部７ｂによる召し合わせ構造により、閉扉時における防火、防煙性を確保するようになっている。
【００３３】
なお、前記回転駆動機構４０を設けた場合、第１扉５は回転駆動機構４０の付勢力により閉扉方向に回動し、防火扉１の閉扉動作を補助するが、回転駆動機構４０を設けない場合には、付勢手段２０のみを備えればよいため、従来と比較して駆動機構を削減することができる。
【００３４】
図４は本発明の第一実施例に係る中折れ式防火扉を両側に用いた場合を示す平断面図である。
【００３５】
下記に示す説明において、中折れ式防火扉を片側に用いたものと対応する部分には同一の符号を付して、説明を省略する。
【００３６】
図４において、防火扉１は９０°開閉式の両側扉であって、各防火扉１は、通常状態では通路２の両側壁面３に対向形成された凹所に据え付けられた扉枠フレーム４内にそれぞれ折り畳み格納され、通路２を常開としている。
【００３７】
各防火扉１は、フレーム４に回動可能にヒンジ軸受けされた第１扉５と、第１扉５の回動端にヒンジ６を介して連結された第２扉７とからなっており、耐火性の鋼板を組み合わせた中空構造体である。
【００３８】
図５は本発明の第一実施例に係る中折れ式防火扉を両側に用いた場合の閉扉動作を示す平断面図である。
【００３９】
中折れ式防火扉を片側に用いた場合と同様の閉扉動作で、かつ一方側防火扉が閉扉動作を開始すると、他方側防火扉も一方側防火扉と同期して作動し、通路２の片側を急速に閉止する。
【００４０】
また、一方側防火扉の第２扉７の開閉端は平面視で凸部７ｄが形成され、他方側防火扉の第２扉７の開閉端は平面視で凹部７ｅが形成され、両者の閉扉状態ではその凸部７ｄ、凹部７ｅによる召し合わせ構造により、閉扉時における防火、防煙性を確保するようになっている。
【００４１】
通路２の閉塞状態では一部拡大して示すように、第２扉７同士の凸部７ｄ、凹部７ｅによる召し合わせ構造により、当該箇所を防火防煙性のある閉塞構造とすることができる。
【００４２】
閉塞状態で、火災報知システムによる火災警告が解除されたなら、巻込みロール２２の巻込み付勢に抗して人手によりヒンジ６を折れ曲げ側に押せば、第２扉７を移動させつつ第１扉５を折り畳むことができ、図１ａから図１ｄに示すごとく再び元の格納状態に折り畳み格納でき、この状態でロックピン８が再突出すれば格納状態をロックすることができ初期状態に復帰する。
【００４３】
なお、以上の実施の形態では、鋼板の組合せにより内部中空の扉としたが、消防法では厚さ１．５mm以上の鋼板であれば防火扉としての機能を十分に満たされるとしているので、鋼板と鋼板の片面のみを補強リブなどで補強した構造であってもよい（図示せず）。この際に扉枠フレーム４に対する戸当たり部分にはクッションゴムなどを介在させることで、戸当たり位置での傷付きを防止できる。
【００４４】
図６は本発明の第二実施例に係る付勢手段を備えた中折れ式防火扉の開放（格納）状態を示す立断面図である。
【００４５】
付勢手段５０は、固定フレーム２１と、巻き込みロール２２と、ワイヤＷと、第２側扉７の上部に設けられ固定フレーム２１から上方に向けて引き出されるワイヤＷの中間部の脱落を防止しつつその水平方向への繰出方向を変換可能にし、一端が第２側扉７内に固着された転がり軸受け５１に接続されたスイベル機能を有するエルボ５２を有するガイド部５３と、第２側扉７本体を支持しながら転支させる機能を有するボールベアリング５４と、フレーム４内から通路天井部に至るまで固定配置され、ボールベアリング５４を閉扉方向に滑動させるガイドレール５５と、ガイドレール５５の適宜位置に設けられワイヤの他端を固定する固定手段２５とを備え、第一実施例と同様に第２側扉７内に取り付けられている。
【００４６】
図７は本発明の第二実施例に係る中折れ式防火扉の閉扉動作を示す平断面図である。火災報知システムが作動すると電子ロックが作動してロックピン８が引き抜かれ、これによって第２扉７は、ワイヤＷが巻込みロール２２に巻込み側に付勢されるので、ボールベアリング５４を介して、この反力によりガイドレール５５に沿って水平方向に移動しつつ第１扉５に対する角度を漸次開き、最終的には第１扉５および第２扉７が一直線になって通路２を急速に閉止する。
【００４７】
第２扉７が回動すると、付勢手段５０の固定フレーム２１は第２扉７内に固定されているため、ワイヤＷの繰出方向が水平面内において９０゜変更することになる。ところが、ワイヤＷは、ガイド部５３内をすべりつつ、その水平方向への繰出方向をスイベル機能を備えた転がり軸受け５１付きエルボ５２により変換することができるので、スムーズな回動が可能である。また、ボールベアリング５４があるために、第２扉７は床面より若干浮遊した状態となり、スムーズな回動が可能である。
【００４８】
また、実施の形態では９０°開閉式としたが、Ｔ字形通路交差位置などでは１８０°開閉式にも適用できる。
【図面の簡単な説明】
【００４９】
【図１ａ】本発明の第一実施例に係る中折れ式防火扉の開放（格納）状態を示す平断面図である。
【図１ｂ】本発明の第一実施例に係る中折れ式防火扉の開放（格納）状態を示す立断面図である。
【図１ｃ】本発明の第一実施例に係る中折れ式防火扉の開放（格納）状態を示す付勢手段の一部の拡大図である。
【図１ｄ】本発明の第一実施例に係る中折れ式防火扉の開放（格納）状態を示す他の回動動作方式図である。
【図２】本発明の第一実施例に係る中折れ式防火扉における基部側扉及び開閉端側扉の端部形状を示し、回転駆動機構を備えた場合の縦断面図である。
【図３】本発明の第一実施例に係る中折れ式防火扉の閉扉動作を示す平断面図である。
【図４】本発明の第一実施例に係る中折れ式防火扉を両側に用いた場合を示す平断面図である。
【図５】本発明の第一実施例に係る中折れ式防火扉を両側に用いた場合の閉扉動作を示す平断面図である。
【図６】本発明の第二実施例に係る付勢手段を備えた中折れ式防火扉の開放（格納）状態を示す立断面図である。
【図７】本発明の第二実施例に係る中折れ式防火扉の閉扉動作を示す平断面図である。
【符号の説明】
【００５０】
１    防火扉                  ２    通路
３    壁面                    ４    扉枠フレーム
５    基部側扉（第１扉）      ６    ヒンジ
６ａ  関節部                  ６ｂ  連結部
７    開閉端側扉（第２扉）    ８    ロックピン
２０  付勢手段                ２１  固定フレーム
２２  巻込みロール            ２３  ガイドローラー部
２４  ガイドレール            ２５  固定手段
２６  円盤形ローラー          ２７  スイベル軸継手
２８  固定ブラケット          ３０  中空ボルト
３１  吊り下げローラー
Ｗ    ワイヤ                  Ｂ    ビス
４０  回転駆動機構            ５０  付勢手段
５１  転がり軸受け            ５２  エルボ
５３  ガイド部                ５４  ボールベアリング
【図１ａ】
2005171598.tif 000003
【図１ｂ】
2005171598.tif 000004
【図１ｃ】
2005171598.tif 000005
【図１ｄ】
2005171598.tif 000006
【図２】
2005171598.tif 000007
【図３】
2005171598.tif 000008
【図４】
2005171598.tif 000009
【図５】
2005171598.tif 000010
【図６】
2005171598.tif 000011
【図７】
2005171598.tif 000012